(57)【要約】【課題】  簡単にローカルなサービスを判別する。【解決手段】  ユーザがローカルなサービスの視聴をしたいため、ローカル優先選局操作をすると、受信制御部６はＰＳＩ／ＳＩ情報のＮＩＴに含まれるサービス利用可能性記述子を記憶部４に一時記憶させる。そして、まず、サービス利用可能性記述子を参照してサービス別に視聴可能なセル数を計数する。そして、視聴可能なセル数の一番少ないサービスを判別する。ここでは、サービスＡ、Ｂ、Ｃが存在し、サービスＡの視聴可能なセルがｃ１、ｃ２、サービスＢの視聴可能なセルがｃ１、ｃ２、ｃ３、ｃ４、サービスＣの視聴可能なセルがｃ１、ｃ３、ｃ５であったとすると、サービスＡ、Ｂ、Ｃの視聴可能なセル数は２、４、３となり、サービスＡが一番少ないので視聴可能な地域の限定されたローカルなサービスと判別する。そして、受信制御部６はデジタルテレビ放送受信部２を制御し、サービスＡの番組を受信させる。【選択図】        図７
2009302620.tif 000002
【特許請求の範囲】
【請求項１】
デジタル放送を受信するデジタル放送受信機のローカルサービス判別装置において、
デジタル放送の受信信号からサービスの地域別利用可能性情報を抽出する抽出手段と、
抽出されたサービスの地域別利用可能性情報を用いて算出した利用可能地域数に基づきサービスのローカル性を判別する判別手段と、
を備えたことを特徴とするデジタル放送受信機のローカルサービス判別装置。
【請求項２】
デジタル放送を受信するデジタル放送受信機のローカルサービス判別装置において、
デジタル放送の受信信号からサービスの地域別利用可能性情報と地域別範囲情報を抽出する抽出手段と、
抽出されたサービスの地域別利用可能性情報と地域別範囲情報を用いて算出したサービスの利用可能地域数と利用可能範囲の広さに基づきサービスのローカル性を判別するようにしたこと、
を特徴とするデジタル放送受信機のローカルサービス判別装置。
【請求項３】
デジタル放送を受信するデジタル放送受信機のローカルサービス判別装置において、
デジタル放送の受信信号からサービスの地域別利用可能性情報と地域別範囲情報を抽出する抽出手段と、
抽出されたサービスの地域別利用可能性情報と地域別範囲情報を用いて算出したサービスの利用可能範囲の広さに基づきサービスのローカル度を判別するようにしたこと、
を特徴とするデジタル放送受信機のローカルサービス判別装置。
【請求項４】
デジタル放送を受信するデジタル放送受信機のローカルサービス判別方法において、
デジタル放送の受信信号からサービスの地域別利用可能性情報を抽出し、
抽出したサービスの地域別利用可能性情報を用いて算出した利用可能地域数に基づきサービスのローカル性を判別すること、
を特徴とするデジタル放送受信機のローカルサービス判別方法。
【発明の詳細な説明】
【技術分野】
【０００１】
本発明はデジタル放送受信機のローカルサービス判別装置、デジタル放送受信機のローカルサービス判別方法に係り、とくにサービスの地域別利用可能性情報が付属したデジタル放送を受信する場合に好適なデジタル放送受信機のローカルサービス判別装置、デジタル放送受信機のローカルサービス判別方法に関する。
【背景技術】
【０００２】
近年、国内はもとより世界中においてラジオ、テレビともに放送のデジタル化が進み、アナログ放送に比べて高品質な映像・音声を視聴者に提供したり、アナログ放送よりも伝送可能な情報量が多いことから、データ放送、電子番組等、種々の情報を視聴者に提供可能になっている。また、デジタル放送における伝送方式、受信機の小型軽量化・低消費電力化等の技術発展に伴い、携帯電話や車載用ナビゲーションシステムなどの移動体機器に受信機を組み込み、鮮明な映像・音声を提示可能となっており、放送としての利便性が非常に高くなってきている。
ところで、ユーザが放送受信場所を含む地域のローカルな情報を入手したい場合に、電子番組表（ＥＰＧ）を見て地域特有のローカルなサービスの番組を探すのは非常に面倒である。このため特許文献１ではローカルサービス検索機能を持つ受信機を提案している。このローカルサービス検索機能付受信機では、例えばＳＩ情報で送られる複数の放送局の電子番組表の番組名を比較し、一致率の高い放送局同士について同一時間帯の異なる番組をローカルなサービスの番組と判定するようにしたり、ＳＩ情報中の拡張ブロードキャスタ記述子内の同一系列局を示す情報から互いに系列関係に在る放送局を見出し、これらの放送局の番組名を比較して同一時間帯の異なる番組をローカルなサービスの番組と判別するようにしている。
【０００３】
しかしながら、従来のローカルサービス検索方法では、複数の放送局の電子番組表を用いて放送局同士の番組名の比較をしたり、ＳＩ情報をチェックして系列関係に在る局を見出すために多くのメモリ容量が必要となり、また処理に時間を要する問題があった。
【０００４】
【特許文献１】特開２００７−１２９６２７号公報
【発明の開示】
【発明が解決しようとする課題】
【０００５】
本発明は上記した従来技術の問題に鑑み、簡単にサービスのローカル性を判別できるデジタル放送受信機のローカルサービス判別装置、デジタル放送受信機のローカルサービス判別方法を提供することを、その目的とする。
【課題を解決するための手段】
【０００６】
本発明のデジタル放送を受信するデジタル放送受信機のローカルサービス判別装置の１つでは、デジタル放送の受信信号からサービスの地域別利用可能性情報を抽出する抽出手段と、抽出されたサービスの地域別利用可能性情報を用いて算出した利用可能地域数に基づきサービスのローカル性を判別する判別手段と、を備えたことを特徴としている。
本発明のデジタル放送を受信するデジタル放送受信機のローカルサービス判別装置の他の１つでは、デジタル放送の受信信号からサービスの地域別利用可能性情報と地域別範囲情報を抽出する抽出手段と、抽出されたサービスの地域別利用可能性情報と地域別範囲情報を用いて算出したサービスの利用可能地域数と利用可能範囲の広さに基づきサービスのローカル性を判別するようにしたこと、を特徴としている。
本発明のデジタル放送を受信するデジタル放送受信機のローカルサービス判別装置の更に他の１つでは、デジタル放送の受信信号からサービスの地域別利用可能性情報と地域別範囲情報を抽出する抽出手段と、抽出されたサービスの地域別利用可能性情報と地域別範囲情報を用いて算出したサービスの利用可能範囲の広さに基づきサービスのローカル度を判別するようにしたこと、を特徴としている。
本発明のデジタル放送を受信するデジタル放送受信機のローカルサービス判別方法の１つでは、デジタル放送の受信信号からサービスの地域別利用可能性情報を抽出し、抽出されたサービスの地域別利用可能性情報を用いて算出した利用可能地域数に基づきサービスのローカル性を判別すること、を特徴としている。
【発明の効果】
【０００７】
本発明によれば、受信信号から抽出したサービスの地域別利用可能性情報またはサービスの地域別利用可能性情報と地域別範囲情報を用いてサービスのローカル性を判別できるので、判別処理に必要なメモリ容量の負担が少なくて済むとともに処理時間も短くて済む。
【発明を実施するための最良の形態】
【０００８】
以下、本発明を実施するための最良の形態を実施例を用いて説明する。
【実施例１】
【０００９】
図１は本発明に係る欧州のＤＶＢ−ＳＨ（Digital Video Broadcasting - Satellite services to Handheld devices)規格に対応した携帯用デジタルテレビ放送受信機の構成を示すブロック図である。
図１において、１はデジタルテレビ放送受信用のアンテナ、２はデジタルテレビ放送受信部であり、後述する受信制御部の選局制御に従い所望放送局のサービスに係るデジタルテレビ放送番組を選局し、映像・音声信号を出力したり、受信信号から選局等に用いるＰＳＩ／ＳＩ(Program Specific Information /Service Information) 情報を抽出したりする。３は映像・音声出力装置であり、映像信号と音声信号を入力して映像表示と音声出力を行う。４はＰＳＩ／ＳＩ情報の一時記憶等に用いる記憶部、５はユーザが通常の選局操作、ローカル優先選局操作等を行う操作部である。６は受信制御部であり、ユーザが通常の選局操作をした場合、操作に応じてデジタルテレビ受信部２に対する受信制御をし、ユーザ所望放送局のサービスに係るデジタルテレビ放送番組を出力させる。また、ローカル優先選局操作をしたとき、ＰＳＩ／ＳＩ情報からローカルなサービスを判別してデジタルテレビ放送受信部２に対しローカルなサービスの番組への切り替え制御を行う。
【００１０】
ＤＶＢ−ＳＨの規格では、或るサービスがどのセル（cell：地域）で視聴可能かを示すサービス利用可能性記述子（service_availavility_descriptor) がＰＳＩ／ＳＩ情報の１つであるネットワーク情報（Network Information Table;NIT ）に含めて送信される。図２にサービス利用可能性記述子の内容の一部を示す。サービス利用可能性記述子は各サービス毎に設定されるが、或るサービスのavailavility_flagビットが「１」に設定されている場合、続いてリストアップされるcell_idで識別されるセルでは、そのサービスが利用可能であることを意味する。或るサービスのavailavility_flag ビットが「０」に設定されている場合、続いてリストアップされるcell_idで識別されるセルでは、そのサービスが利用不可能であることを意味する。このサービス利用可能性記述子はセル間のハンドオーバを目的としたものであるが、ここではこの記述子をサービスのローカル性の判別に用い、受信制御部６はサービス利用可能性記述子を用いて算出した視聴可能なセル数が少ないほどローカルな度合が高いと判別するようにしている。
【００１１】
例えば、図３に示す如くＤＶＢ−ＳＨの全放送エリア内に隣接する５つのセル（cell_id:c1 〜c5）が含まれており、この中にサービスＡ、サービスＢがあり、サービスＡはavailavility_flagビットが「１」でcell_idとしてc1だけがリストアップされており、サービスＢはavailavility_flagビットが「０」でcell_idとしてc2だけがリストアップされていたとき、サービスＡが視聴可能なセル数は１であり、サービスＢが視聴可能なセル数は４であり、サービスＡの方が視聴可能セル数が少なくより限定された地域のみで視聴可能なのでよりローカルなサービスと判別する。
別の例として、図４に示す如くサービスＡ、Ｂのavailavility_flagビットがともに「１」であり、サービスＡのcell_idとしてc1だけがリストアップされており、サービスＢのcell_idとしてc1、c2、c5がリストアップされていたとき、サービスＡが視聴可能なセル数は１であり、サービスＢが視聴可能なセル数は３であり、サービスＡの方が視聴可能セル数が少なくより限定された地域のみで視聴可能なのでよりローカルなサービスと判別する。
【００１２】
若し、視聴可能なセル数が一番少ないサービスが同じセル数で複数存在したときは、セル毎にカバーする範囲が記述されたセルリスト記述子を参照してより狭い範囲で視聴可能なサービスをよりローカルなサービスと判別する。図５にセルリスト記述子の内容の一部を示す。セルをカバーする方形領域の緯度と経度の長さがcell_extent_of_latitudeとcell_extent_of_longitude として記述されているので距離に換算して乗算し、サービスを視聴可能な範囲の広さ（面積）を求める。
【００１３】
図６は受信制御部６によるローカル優先選局処理を示すフローチャート、図７と図８は一番ローカルなサービスの判別方法の説明図であり、以下、これらの図を参照して上記した実施例の動作を説明する。
なお、一例としてＤＶＢ−ＳＨの全サービスエリア内に隣接するセルｃ１〜ｃ５を含んでおり、予め携帯用デジタルテレビ放送受信機はセルｃ１に含まれる現在場所（図７、図８の×印参照）でサービスＢの番組を受信中であるとし、また各サービスの選局に必要な放送周波数等の情報が記憶部４に記憶済みであるとする。
デジタルテレビ放送受信部２は受信信号に含まれるＰＳＩ／ＳＩ情報を抽出し、受信制御部６へ出力している。ユーザがローカルなサービスの視聴をしたいため、ローカル優先選局操作をすると、受信制御部６はＰＳＩ／ＳＩ情報のＮＩＴに含まれるサービス利用可能性記述子とセルリスト記述子を記憶部４に一時記憶させる（図６のステップＳ１０）。そして、まず、サービス利用可能性記述子を参照してサービス別に視聴可能なセル数を計算し、視聴可能なセル数の少ない順にサービスのローカルな度合が高いと判別する（ステップＳ１１）。ここでは、図７に示す如くサービスＡ、Ｂ、Ｃが存在し、サービスＡの視聴可能なセルがｃ１、ｃ２、サービスＢの視聴可能なセルがｃ１、ｃ２、ｃ３、ｃ４、サービスＣの視聴可能なセルがｃ１、ｃ３、ｃ５であったとすると、サービスＡ、Ｂ、Ｃの視聴可能なセル数は２、４、３となり、サービスＡが一番少ないので視聴可能な地域のより限定されたローカルな度合の高いサービスと判別し、サービスＣが次にローカルな度合が高いと判別し、サービスＢが一番ローカルな度合いが低いと判別する。
【００１４】
次に、受信制御部６は、視聴可能な地域数が同じサービスが存在するか判断し（ステップＳ１２）、ここでは存在しないので、デジタルテレビ放送受信部２を制御し、ローカルな度合の一番高いサービスＡの番組を受信させる。これにより、ユーザは地域に特有な情報を入手可能となる（ステップＳ１３）。
なお、現在地でサービスＡの番組が受信不能であれば、受信制御部６は次にローカルな度合の高いサービスＣの番組を受信させる（ステップＳ１４、Ｓ１５）。サービスＣの番組も受信不能であれば次にローカルの度合いの高いサービスＢの番組を受信させる。
【００１５】
若し、視聴可能なセル数が同じサービスが存在するとき、受信制御部６はステップＳ１２でＹＥＳと判断し、視聴可能なセル数が同じサービスについて、サービス利用可能性記述子を参照して視聴可能なセルが互いに同一のセルの組み合わせか判断し、互いに同一のセルの組み合わせとなっているサービス同士であれば、ローカルの度合いは同一と判別する（ステップＳ１６）。視聴可能なセル数が同じサービスについて、視聴可能なセルの組み合わせが異なるサービス同士は、更にセルリスト記述子を参照して、視聴可能なセルの合計面積を求め、視聴可能な範囲がより狭いサービスをよりローカルな度合の高いサービスと判別する（ステップＳ１７）。
例えば、図８に示す如く、サービスＡの視聴可能なセルがｃ１、ｃ２、サービスＢの視聴可能なセルがｃ１、ｃ２、ｃ３、ｃ４、サービスＣの視聴可能なセルがｃ１、ｃ３であったとすると、サービスＡ、Ｂ、Ｃの視聴可能なセル数は２、４、２となる。この場合、受信制御部６はステップＳ１１では、サービスＡとＣはサービスＢに比べてよりローカルの度合いが高いと判別する。次に、ステップＳ１６では、サービスＡとＣの視聴可能なセルの組み合わせが同一であればローカルな度合いは同一と判別するが、ここでは異なっているので、受信制御部６はステップＳ１７へ進み、セルリスト記述子を参照して、サービスＡとＣの各々について、視聴可能なセルの合計面積を求める。そして、視聴可能な範囲より狭いサービスをよりローカルな度合の高いサービスと判別する。ここでは、サービスＡよりＣの方が視聴可能な範囲が狭かったとすると、サービスＣがＡよりローカルな度合の高いサービスと判別する。この結果、ローカルな度合が高い順に、サービスＣ、Ａ、Ｂと判別される。
このあと、受信制御部６はデジタルテレビ放送受信部２を制御し、サービスＣの番組を受信させる（ステップＳ１３）。これにより、ユーザはより狭い地域に特有の情報を入手可能となる。サービスＣが受信不能であればサービスＡの番組を受信させ、サービスＡも受信不能であればサービスＢの番組を受信させる（ステップＳ１４、Ｓ１５）。
【００１６】
この実施例によれば、ローカル優先選局操作がされると、受信制御部６は受信信号から取得したサービス利用可能性記述子を用いてサービスの視聴可能な地域数を計数し、少ない順にローカルな度合いが高いと判別する。そして、ローカルな度合いの高いサービスの方から優先的に受信するようにしたので、ユーザは簡便な操作で地域に特有の情報を入手可能となり、また、複数局の電子番組表を比較してローカルなサービスを判別する場合に比べてメモリ容量の負担が少なくて済むとともに、処理時間も短くて済む。若し、視聴可能な地域数が同じサービス同士は視聴可能地域の組み合わせが同じであれば、ローカルな度合いが同じと判別し、視聴可能地域の組み合わせが異なっていれば、受信信号から取得したセルリスト記述子を用いて視聴可能な範囲の広さを計算し、より狭い方をよりローカルな度合いが高いと判別する。これにより、視聴可能な地み域数が同じサービス同士であっても、よりローカルな度合いの高いサービスを判別可能となる。
【００１７】
なお、上記した実施例では、サービスの視聴可能な地域数と視聴可能な範囲の広さによりサービスのローカルの度合いを判別するようにしたが、これと異なり、サービス利用可能性記述子とセルリスト記述子を用いて算出したサービス毎の視聴可能範囲の広さに基づき、より範囲が狭いほどローカルな度合いが高いと判別するようにしても良い。
【産業上の利用可能性】
【００１８】
本発明は、テレビ、ラジオ、データ等の各種デジタル放送サービスの放送受信機に適用できる。
【図面の簡単な説明】
【００１９】
【図１】本発明に係る携帯用デジタルテレビ放送受信機の構成を示すブロック図である（実施例１）。
【図２】サービス利用可能性記述子の内容の一部省略した説明図である。
【図３】サービス利用可能性情報の説明図である。
【図４】サービス利用可能性情報の説明図である。
【図５】セルリスト記述子の内容の一部の説明図である。
【図６】受信制御部によるローカル優先選局処理を示すフローチャートである。
【図７】ローカルなサービスの判別方法の説明図である。
【図８】ローカルなサービスの判別方法の説明図である。
【符号の説明】
【００２０】
２  デジタルテレビ放送受信部
３  映像・音声出力装置
４  記憶部
６  受信制御部
ｃ１〜ｃ５  セル
【図１】
2009302620.tif 000003
【図２】
2009302620.tif 000004
【図３】
2009302620.tif 000005
【図４】
2009302620.tif 000006
【図５】
2009302620.tif 000007
【図６】
2009302620.tif 000008
【図７】
2009302620.tif 000009
【図８】
2009302620.tif 000010